(57)【特許請求の範囲】
【請求項１】
前面グリル（２）と底フレーム（１）とを前後から嵌合させ、これらを天面側と下面側とで固定して本体ケーシングを構成するとともに、上記本体ケーシング内には、底フレーム（１）に固定して電装品箱（３）を設けた空気調和機において、
上記前面グリル（２）は、上記電装品箱（３）に前面側から固定するようにしたことを特徴とする空気調和機。
【請求項２】
前面グリル（２）と底フレーム（１）とを前後から嵌合させ、これらを天面側と下面側とで固定して本体ケーシングを構成するとともに、上記本体ケーシング内には、底フレーム（１）に固定して電装品箱（３）を設けた空気調和機において、
上記前面グリル（２）は、上記電装品箱（３）にネジ止めにより固定するようにしたことを特徴とする空気調和機。
【請求項３】
上記電装品箱（３）は、底フレーム（１）の端部に設けられていることを特徴とする請求項１又は請求項２の空気調和機。
【請求項４】
上記電装品箱（３）は、一方が開口して底フレーム（１）に固定される電箱本体（５）と、上記開口を前方から覆うように電箱本体（５）に取り付けられる電箱カバー（４）とから成り、上記前面グリル（２）は電箱本体（５）に固定されて、
上記前面グリル（２）と電箱本体（５）との間に上記電箱カバー（４）を挟装していることを特徴とする請求項１〜請求項３のいずれかの空気調和機。
【請求項５】
上記電箱本体（５）には、前面グリル（２）を固定するための取付部（１４）が突設され、上記電箱カバー（４）には、上記取付部（１４）を嵌入させる嵌入穴（１５）が穿設されていることを特徴とする請求項４の空気調和機。
【発明の詳細な説明】
【０００１】
【発明の属する技術分野】
この発明は、前面グリルと底フレームとを前後から嵌合させて本体ケーシングを構成した空気調和機に関するものである。
【０００２】
【従来の技術】
図１は、この発明の空気調和機の一実施形態を示す分解斜視図であるが、この図を用いて上記のような空気調和機の従来例を説明する。同図に示すのは壁掛形空気調和機の室内機であって、前面グリル２と底フレーム１とを前後から嵌合させて本体ケーシングを構成している。これらの前面グリル２と底フレーム１とは、前面グリル２の天面側後縁に設けられた係合爪（図示せず）を底フレーム１の天面側前縁に形成された係合部１０・・に係合させるとともに、前面グリル２の下面側に穿設された取付穴１２・・に挿通したネジ１３・・を、底フレーム１の下面側に設けられたネジ穴１１・・に螺着して固定されている。なお上記本体ケーシング内には熱交換器、送風ファン等が設けられるが、図を簡明にして理解を容易とするため、同図ではこれらを省略して示している。
【０００３】
また上記図１に示すように、上記本体ケーシング内にはその一端部に電装品箱３が設けられているが、従来例の空気調和機に設けられた電装品箱の分解斜視図を、図５に示す。同図に示すようにこの電装品箱４３は、一方が開口した電箱本体４５と、この開口を前方（同図では上方）から覆うように取り付けられる電箱カバー４４とから成り、上記電箱本体４５が底フレームに固定されるようになっている。また上記電箱カバー４４には嵌入片４６が突設される一方、電箱本体４５には一対の凸部４７が形成されている。そして上記嵌入片４６を凸部４７間に嵌入させて電箱本体４５に対する電箱カバー４４の位置決めを行い、係合爪４８等による係合によって電箱カバー４４を電箱本体４５に取り付けるようになっている。
【０００４】
【発明が解決しようとする課題】
上記室内機では本体ケーシング内の一端部に電装品箱４３を設けているため、前面グリルと底フレームとは、天面側及び下面側のそれぞれにおいて両側端間の中間部で固定され、上記一端部においては固定がなされていない。一方、本体ケーシング内の一端部に設けた上記電装品箱４３には種々の配線等が接続され、この配線等が電装品箱４３の近傍に位置している。従って上記一端部では前面グリルと底フレームとを直接に固定できず、そのため前面グリルにソリ等があると、上記端部で前面グリルに底フレームからの浮き上がりが生じることとなる。そしてこのような浮き上がりが生じると、前面グリルと底フレームとの嵌合部分における目地が上記一端側、特にそのコーナ部で合わず、これによって本体ケーシングの外観性が低下するという問題があった。
【０００５】
この発明は上記従来の欠点を解決するためになされたものであって、その目的は、前面グリルと底フレームとの目地を改善し、本体ケーシングの外観性を向上させることが可能な空気調和機を提供することにある。
【０００６】
【課題を解決するための手段】
そこで請求項１の空気調和機は、前面グリル２と底フレーム１とを前後から嵌合させ、
これらを天面側と下面側とで固定して本体ケーシングを構成するとともに、上記本体ケーシング内には、底フレーム１に固定して電装品箱３を設けた空気調和機において、上記前面グリル２は、上記電装品箱３に前面側から固定するようにしたことを特徴としている。
また、請求項２の空気調和機は、上記前面グリル（２）は、上記電装品箱（３）にネジ止めにより固定するようにしたことを特徴としている。
【０００７】
上記請求項１及び請求項２の空気調和機では、前面グリル２を電装品箱３に固定するようにしているので、本体ケーシングのソリ等によって前面グリル２が底フレーム１から浮き上がるのを防止することが可能となる。
【０００８】
また請求項３の空気調和機は、上記電装品箱３は、底フレーム１の端部に設けられていることを特徴としている。
【０００９】
上記請求項３の空気調和機では、底フレーム１からの浮き上がりの生じ易い前面グリル２の端部において、上記浮き上がりを確実に防止することが可能となる。
【００１０】
さらに請求項４の空気調和機は、上記電装品箱３は、一方が開口して底フレーム１に固定される電箱本体５と、上記開口を前方から覆うように電箱本体５に取り付けられる電箱カバー４とから成り、上記前面グリル２は電箱本体５に固定されて、上記前面グリル２と電箱本体５との間に上記電箱カバー４を挟装していることを特徴としている。
【００１１】
上記請求項４の空気調和機では、前面グリル２を固定することによって、同時に電箱本体５に対する電箱カバー４の確実な固定を行うことが可能となる。
【００１２】
請求項５の空気調和機は、上記電箱本体５には、前面グリル２を固定するための取付部１４が突設され、上記電箱カバー４には、上記取付部１４を嵌入させる嵌入穴１５が穿設されていることを特徴としている。
【００１３】
上記請求項５の空気調和機では、前面グリル２の固定構造を用いて、電箱本体５に対する電箱カバー４の位置決めを行うことが可能となる。
【００１４】
【発明の実施の形態】
次に、この発明の空気調和機の具体的な実施の形態について、図面を参照しつつ詳細に説明する。
【００１５】
図１は、上記空気調和機の室内機の分解斜視図である。この室内機は壁掛形として構成された分離形空気調和機の室内機であって、前面グリル２と底フレーム１とを前後から嵌合させて本体ケーシングを構成している。上記前面グリル２の天面側を構成する天面グリル７には、その後縁の３ケ所に係合爪（図示せず）が設けられ、また前面グリル２の下面側には、その３ケ所に取付穴１２・・が穿設されている。一方、上記底フレーム１には、その天面側前縁の３ケ所に係合部１０・・が形成され、また下面側の３ケ所にネジ穴１１・・が設けられている。さらに上記本体ケーシング内には、同図に示すようにその一端部に電箱カバー４と電箱本体５から成る電装品箱３が設けられているが、これについては後述する。なお上記本体ケーシング内には熱交換器、送風ファン等が設けられているが、図を簡明にして理解を容易とするため、同図ではこれらを省略して示している。
【００１６】
図２は、上記電装品箱３を示す分解斜視図である。この電装品箱３は、電箱本体５と電箱カバー４とから成っている。上記電箱本体５は、一方が開口した有底箱本状の収納部２０を有し、この収納部２０に、プリント基板等の電装品を収納するようになっている。またこの収納部２０の上面には、上記底フレーム１の天面側と係合させるための係合爪１７が突設され、そして収納部２０の下方には、上記底フレーム１に螺着するネジ１３、１３（図１参照）を挿通させるための取付穴１６、１６が穿設されている。さらに上記収納部２０のコーナ部のひとつには、ネジ止め凸部１４が突設されている。このネジ止め凸部１４は、根元側ほどわずかに径大となるよう成された略円柱状であって、その軸方向中心部にネジ穴１８が設けられている。一方、上記電箱カバー４は、上記収納部２０の開口２１を覆うようにして電箱本体５に取り付けられる。そして詳細に図示はしないが、上記電箱カバー４の取付周縁部は、上記電箱本体５への取り付けに際して、上記開口２１の外周部に形成された係合爪（図示せず）と係合するように成されている。また上記電箱カバー４の下部には、上記ネジ止め凸部１４の先端側を嵌入させる嵌入穴１５が穿設されている。
【００１７】
次に、上記空気調和機の室内機における本体ケーシングの組み立てについて説明するが、ここでは理解を容易とするため、熱交換器、送風ファン、プリント基板等の取り付けは省略し、底フレーム１、前面グリル２及び電装品箱３による本体ケーシング自体の組み立てを説明することとする。まず図２に示す電箱カバー４の嵌入穴１５に、電箱本体５のネジ止め凸部１４の先端側を嵌入させる。そして電箱カバー４の取付周縁部を開口２１の外周部に形成された係合爪に係合させ、電箱カバー４と電箱本体５とによって電装品箱３を構成する。次にこのように構成した電装品箱３を、上記底フレーム１の一端部に取り付ける。この取り付けは、電箱本体５の収納部２０上面に突設された係合爪１７を底フレーム１の天面側と係合させるとともに、電箱本体５下部の取付穴１６、１６に挿通したネジ１３、１３を、底フレーム１の側端部下側に設けられたネジ穴２２、２２に螺着して行う（図１参照）。
【００１８】
上記のようにして底フレーム１に電装品箱３が取り付けられると、次に前面グリル２の取り付けを行う。前面グリル２の取り付けは、まず図１に示すようにその天面グリル７の３ケ所に設けられた上記係合爪（図示せず）を、底フレーム１の天面側前縁の３ケ所に形成された係合部１０・・に係合させる。そして前面グリル２の下面側の３ケ所に穿設された取付穴１２・・にネジ１３・・を挿通するとともに、このネジ１３・・を底フレーム１の下面側の３ケ所に設けられたネジ穴１１に螺着する。また上記前面グリル２の配線用開口６近傍には、図３に示すように、その裏面側に押さえ部１９が突設されている。この押さえ部１９は、上記のようにして前面グリル２を底フレーム１に取り付けたときに、取付穴２４が穿設されたその先端面２３が、ネジ止め凸部１４の先端面２５と相対向して位置するように成されている。そしてその先端面２３側の外径は電箱カバー４の嵌入穴１５の内径と略等しく、根元側ほど径大となるよう成されている。そこでこのように形成された押さえ部１９の取付穴２４に前面グリル２の前面側からネジ１３を挿通し、このネジ１３をネジ止め凸部１４に設けられたネジ穴１８に螺着する。そして上記押さえ部１９の先端面２３とネジ止め凸部１４の先端面２５とを当接させる。
【００１９】
図４は、上記のようにして組み立てられた本体ケーシングの一端側を示す正面図である。同図に示すように本体ケーシング内の一端側には電装品箱３が配置され、この電装品箱３の近傍には、電装品箱３に接続された配線等が位置している。上述のように従来の空気調和機の室内機では、前面グリル２と底フレーム１との固定位置は、同図に示す取付穴１２が最も電装品箱３側であった。これに対し上記空気調和機の室内機では、取付穴２４が示す位置において、前面グリル２と電装品箱３とを固定している。そしてこの電装品箱３は底フレーム１に固定されているから、前面グリル２の一端側をネジ１３によって確実に底フレーム１に固定することができる。従って前面グリル２にソリ等があっても、その一端側が底フレーム１から浮くことはなく、両者１、２の嵌合部分の目地を改善して本体ケーシングの外観性を向上させることができる。しかも上記前面グリル２は、電装品箱３に対してネジ止めによる固定を行っている。従って電装品によって生じる底フレーム１からの前面グリル２の浮き上がりを確実に防止することができる。
【００２０】
また図３に示すように、前面グリル２を電箱本体５にネジ止めすると、前面グリル２に形成された押さえ部１９の先端面２３と電箱本体５に形成されたネジ止め凸部１４の先端面２５とが、電箱カバー４の嵌入穴１５を介して当接する。上記嵌入穴１５はネジ止め凸部１４の先端面２５近傍に位置し、その内径は、上記押さえ部１９の先端面２３近傍の外径と略等しい。そして上記押さえ部１９は根元側ほど径大に形成されているから、結局、電箱本体５と、この電箱本体５に取り付けた前面グリル２との間に、上記電箱カバー４を挟装することとなる。従って電箱本体５に対する電箱カバー４の固定は、嵌合のみで固定していた従来よりも確実なものとなり、しかもこの固定は、底フレーム１に対する前面グリル２の取り付けによって同時になされることとなる。そのため電箱本体５への従来よりも確実な電箱カバー４の取り付けを、簡素な作業によって行うことができる。しかもこのときには、電箱本体５のネジ止め凸部１４を電箱カバー４の嵌入穴１５に嵌入させている。つまり前面グリル２の固定構造を利用して電箱本体５に対する電箱カバー４の位置決めができるということであり、これによって本体ケーシングの組立作業性を一段と向上させることができる。
【００２１】
以上にこの発明の具体的な実施の形態について説明したが、この発明は上記形態に限定されるものではなく、この発明の範囲内で種々変更して実施することができる。上記空気調和機の室内機は本体ケーシングの一端部に電装品箱３を設けたものであるが、仮にこのような一端部ではなく、本体ケーシングの中央部寄りの位置に電装品箱３を設けた空気調和機の室内機であっても、上記のようにして前面グリル２を電装品箱３に固定することにより、底フレーム１と前面グリル２との間の目地改善による本体ケーシングの外観性の向上を図ることができる。また上記では壁掛形として構成された分離形空気調和機の室内機に本発明を適用したが、一体形の空気調和機等の、他の形式の空気調和機にも本発明を適用することができるのは勿論である。
【００２２】
【発明の効果】
上記請求項１及び請求項２の空気調和機では、本体ケーシングのソリ等によって前面グリルが底フレームから浮き上がるのを防止できるので、その外観性を向上させることが可能となる。
【００２３】
また請求項３の空気調和機では、底フレームからの浮き上がりが生じ易い前面グリルの端部において、上記浮き上がりを確実防止してその外観性を一段と向上させることが可能となる。
【００２４】
さらに請求項４の空気調和機では、本体ケーシングの組立作業性を向上させつつ、電箱カバーの確実な取り付けを行うことが可能となる。
【００２５】
請求項５の空気調和機では、上記組立作業性を一段と向上させることが可能となる。
【図面の簡単な説明】
【図１】この発明の空気調和機の一実施形態を示す室内機の分解斜視図である。
【図２】上記室内機に備えられた電装品箱の分解斜視図である。
【図３】電装品箱と前面グリルとの取付構造を示す断面矢視図である。
【図４】上記室内機を構成する本体ケーシングの部分正面図である。
【図５】従来例の空気調和機の室内機に備えられた電装品箱の分解斜視図である。
【符号の説明】
１  底フレーム
２  前面グリル
３  電装品箱
４  電箱カバー
５  電箱本体
１４  ネジ止め凸部
１５  嵌入穴
【図１】
0003800736.tif 000002
【図２】
0003800736.tif 000003
【図３】
0003800736.tif 000004
【図４】
0003800736.tif 000005
【図５】
0003800736.tif 000006